(57)【要約】      （修正有）【課題】より簡便に、手元で拾い上げることができるように、カップインしたゴルフボールをホールカップから取り出し、所望の方向へ転がるように誘導することができる、ゴルフボール取出装置を提供する。【解決手段】ゴルフ用のピンに対して設けられるゴルフボール取出装置１０であって、ピンの外周を軸方向に沿って移動可能な中空の棒状部材２０と、棒状部材２０が挿入される挿入孔３２と、挿入孔３２の周縁からピンの上方であって、軸方向に延在する支持部３４と、周縁から径方向外方に延在し、ピンの下方に傾斜し、ゴルフボールを受ける受け板３６と、周縁から径方向外方へ延在する複数のリブ３８と、を有するフランジ３０と、棒状部材２０の端部に設けられ、フランジ３０を係止する、ストッパ４０と、を備える。【選択図】図１
0003224105.tif 000002
【実用新案登録請求の範囲】
【請求項１】
ゴルフ用のピンに対して設けられるゴルフボール取出装置であって、
前記ピンの外周を軸方向に沿って移動可能な中空の棒状部材と、
前記棒状部材が挿入される挿入孔と、前記挿入孔の周縁から前記ピンの上方であって、前記軸方向に延在する支持部と、前記周縁から径方向外方に延在し、前記ピンの下方に傾斜し、ゴルフボールを受ける受け板と、前記周縁から径方向外方へ延在する複数のリブと、を有するフランジと、
前記棒状部材の端部に設けられ、前記フランジを係止する、ストッパと、
を備えることを特徴とするゴルフボール取出装置。
【請求項２】
請求項１に記載のゴルフボール取出装置において、
前記受け板は、前記軸方向に直交する平面とのなす角が５°以上、かつ２０°未満になるように設けられる、ことを特徴とするゴルフボール取出装置。
【考案の詳細な説明】
【技術分野】
【０００１】
本考案は、  ゴルフ用のピンに対して設けられるゴルフボール取出装置に関する。
【背景技術】
【０００２】
従来、パークゴルフの分野において、ホールカップからボールを取り出すことができる技術として、ホールカップにカップインしたボールを受けて保持するボール受け皿と、ボール受け皿をピンの軸に沿って上方に可動させる可動機構とを備えるゴルフボール取出装置が知られている（特許文献１）。
【先行技術文献】
【特許文献】
【０００３】
【特許文献１】特開２００２−２６３２２７号公報
【考案の概要】
【考案が解決しようとする課題】
【０００４】
しかしながら、従来のゴルフボール取出装置では、カップインしたゴルフボールを取り出す際、保持されたゴルフボールに手指が届く位置まで、ボール受け皿を引き上げることとなり、労力がかかる。
【０００５】
本考案は、上記の課題を考慮してなされたものであって、より簡便に、手元で拾い上げることができるように、カップインしたゴルフボールをホールカップから取り出し、所望の方向へ転がるように誘導することができる、ゴルフボール取出装置を提供することを目的とする。
【課題を解決するための手段】
【０００６】
本考案に係るゴルフボール取出装置は、ゴルフ用のピンに対して設けられ、前記ピンの外周を軸方向に沿って移動可能な中空の棒状部材と、前記棒状部材が挿入される挿入孔と、前記挿入孔の周縁から前記ピンの上方であって、前記軸方向に延在する支持部と、前記周縁から径方向外方に延在し、前記ピンの下方に傾斜し、ゴルフボールを受ける受け板と、前記周縁から径方向外方へ延在する複数のリブと、を有するフランジと、前記棒状部材の端部に設けられ、前記フランジを係止する、ストッパと、を備えることを特徴とする。
【０００７】
前記ゴルフボール取出装置において、前記受け板は、前記軸方向に直交する平面とのなす角が５°以上、かつ２０°未満になるように設けられることを特徴とする。
【考案の効果】
【０００８】
本考案のゴルフボール取出装置によれば、より簡便に、手元で拾い上げることができるように、カップインしたゴルフボールをホールカップから取り出し、所望の方向へ転がるように誘導することができる。
【図面の簡単な説明】
【０００９】
【図１】本実施形態に係るゴルフボール取出装置の斜視図である。
【図２】図２Ａは、図１に示したゴルフボール取出装置の上面図、図２Ｂは、図１に示したゴルフボール取出装置の縦方向断面図である。
【図３】図１に示したゴルフボール取出装置をピンに取り付けた状態を説明するための説明図である。
【図４】図１に示したゴルフボール取出装置の受け板がカップインしたゴルフボールを受けた状態を説明するための説明図である。図４Ｂは、図１に示したゴルフボール取出装置を引き上げ、ゴルフボールを取り出した状態を説明するための説明図である。
【考案を実施するための形態】
【００１０】
以下、本考案の実施形態について図面を参照して説明する。図１は、本実施形態に係る、ゴルフボール取出装置１０の斜視図である。図２Ａは、図１に示したゴルフボール取出装置１０の上面図であり、図２Ｂは、図１に示したゴルフボール取出装置１０の縦方向断面図である。
【００１１】
＜ゴルフボール取出装置１０の構成＞
ゴルフボール取出装置１０は、棒状部材２０、フランジ３０及びストッパ４０を備える。
【００１２】
棒状部材２０は、直線の中空形状の部材である。棒状部材２０は、後述するホールカップ７０に立設するピン５０よりも短い（図３）。棒状部材２０の長さは、特に限定されないが、例えば、１ｍである。また、棒状部材２０は、例えば、金属等で形成される。さらに、棒状部材２０は、ピン５０の外周を軸方向に沿って移動可能に配置される。
【００１３】
フランジ３０は、挿入孔３２、支持部３４、受け板３６及びリブ３８を備える。フランジ３０は、例えば、樹脂等で形成構成される。また、フランジ３０は、棒状部材２０の下端部に設けられる。
【００１４】
挿入孔３２は、フランジ３０の中央部に設けられ、棒状部材２０が挿入される。
【００１５】
支持部３４は、中空部材であって、挿入孔３２の周縁からピン５０の上方であって、軸方向に延在する。支持部３４は、棒状部材２０を支持する。また、棒状部材２０の中空部分は、挿入孔３２と連通する。
受け板３６は、中央部が上方へ膨出した錐形状であって、かつ外周部が円形状の部材である。また、受け板３６は、径方向外方へ向かうにつれて下方へ傾斜するように、支持部３４から延設される。さらに、図２Ｂに示すように、受け板３６は、軸方向に直交する平面とのなす角θが、例えば、５°以上、かつ２０°未満である。受け板３６は、ホールカップ７０内に収まるように、ホールカップ７０の内径よりも小さい外径を有する。受け板３６は、カップインしたゴルフボールＢを受ける。
【００１６】
リブ３８は、リブ３８は、受け板３６の上面に、周方向に均等な間隔を空けて４つ設けられる。各リブ３８は、ゴルフボールＢの周方向の移動を規制して径方向へ誘導できるように、径方向に延在する。リブ３８は、例えば、樹脂等で形成される。
【００１７】
ストッパ４０は、短筒部材である。ストッパ４０は、中央部に棒状部材２０を取り付けるための取付孔４２を有し、外径は挿入孔３２よりも大きい。ストッパ４０は、フランジ３０よりも下方において棒状部材２０に設けられ、フランジ３０を係止して脱落を防止する。ストッパ４０は、例えば、ゴム又は樹脂等で形成される。
【００１８】
＜ゴルフボール取出装置１０の使用方法＞
本実施形態のゴルフボール取出装置１０の使用方法について、説明をする。図３は、ゴルフボール取出装置１０をピン５０に取り付けた状態の説明図である。図４Ａは、受け板３６がカップインしたゴルフボールＢを受けた状態の説明図である。図４Ｂは、ゴルフボール取出装置１０を引き上げ、ゴルフボールＢを取り出した状態の説明図である。
【００１９】
まず、挿入孔３２に棒状部材２０が挿入される。フランジ３０の下方において、取付孔４２に棒状部材２０を挿入され、棒状部材２０の先端にストッパ４０が取り付けられ、棒状部材２０にフランジ３０に取り付けられ、ゴルフボール取出装置１０が組み立てられる。
【００２０】
次に、ピン５０がホールカップ７０から取り外され、ねじ５２が取り外され、ピン５０から旗取付具５４及び旗５６がを取り外される。
【００２１】
棒状部材２０の下端部からピン５０が挿通され、棒状部材２０の上方に、ピン５０の上部が露出される。また、ピン５０の下端部には、ピン５０をホールカップ７０に固定するための固定具５８が設けられている。旗取付具５４がピン５０の上部にねじ５２で固定され、旗５６が旗取付具５４に取り付けられる。
【００２２】
旗取付具５４と棒状部材２０との間のピン５０の所定部位に、棒状部材２０を係止するための係止具６０が固定される。係止具６０は、棒状部材２０の外径よりも大きい外径を有するＣ字の環状体等で構成される。所定部位は、少なくとも、棒状部材２０の移動によってフランジ３０が地面Ｇよりも上方に位置できる位置に、予め定められる。所定部位は、例えば、旗取付具５４の下端よりも１０ｃｍ下方の部位であるが、これに限定されない。
【００２３】
ゴルフボール取出装置１０がピン５０に取り付けられた後、ホールカップ７０にピン５０が立設される。より具体的には、図４Ａに示ように、固定具５８がホールカップ７０の支持筒７２に嵌められ、ピン５０がホールカップ７０に立設される。受け板３６は、ホールカップ７０内に収容される。
【００２４】
図４Ｂに示すように、ゴルフボールＢがカップインすると、ゴルフボールＢは、受け板３６によって保持される。ユーザが棒状部材２０を握り、上方へ移動させると、受け板３６と、受け板３６に保持されたゴルフボールＢも、棒状部材２０とともに上方へ移動する。
【００２５】
フランジ３０の位置が地面Ｇよりも高くなると、ゴルフボールＢは、自重によって受け板３６上を転がり、リブ３８によって誘導され、ホールカップ７０の周囲に取り出される。ゴルフボールＢが取り出された後、次回の使用に備え、受け板３６は、ホールカップ７０内に戻される。
【００２６】
なお、ゴルフのプレイ中等、ピン５０をホールカップ７０から取り外す際、ユーザは、棒状部材２０を係止具６０に押し当て、一度に、ホールカップ７０からゴルフボール取出装置１０とピン５０の両方を取り外すことができる。
【００２７】
これにより、ユーザは、手指がボールに届く位置までフランジ３０を引き上げなくても、地面Ｇよりも高い位置までフランジ３０を引き上げることによってカップインしたゴルフボールＢを取り出し、手元で拾い上げることができる。
【００２８】
また、ユーザは、ゴルフボール取出装置１０を軸周りに回転させることによってリブ３８の周方向の位置を変え、所望の方向へ転がるようにゴルフボールＢを誘導することができる。
【００２９】
ゴルフボール取出装置１０は、ピン５０の外周を軸方向に沿って移動可能な中空の棒状部材２０と、棒状部材２０が挿入される挿入孔３２と、挿入孔３２の周縁からピン５０の上方であって、軸方向に延在する支持部３４と、周縁から径方向外方に延在し、ピン５０の下方に傾斜し、ゴルフボールＢを受ける受け板３６と、周縁から径方向外方へ延在する複数のリブ３８と、を有するフランジ３０と、棒状部材２０の端部に設けられ、フランジ３０を係止する、ストッパ４０と、を備える。
【００３０】
ゴルフボール取出装置１０によれば、より簡便に、手元で拾い上げることができるように、カップインしたゴルフボールＢをホールカップ７０から取り出し、所望の方向へ転がるように誘導することができる。
また、ゴルフボール取出装置１０は、前記受け板３６は、前記軸方向に直交する平面とのなす角が５°以上、かつ２０°未満になるように設けられる。
【００３１】
なお、本発明は、上述の実施形態に限らず、本発明の要旨を逸脱することなく、種々の構成を採り得ることはもちろんである。
例えば、上述した実施形態では、リブ３８は、周方向に均等な間隔を空けて４つ設けられていたが、ゴルフボールＢを適切に誘導できれば、数は限定されるものではない。
【符号の説明】
【００３２】
１０…    ゴルフボール取出装置
２０…    棒状部材
３０…    フランジ
３２…    挿入孔
３４…    支持部
３６    受け板
３８    リブ
４０    ストッパ
４２    取付孔
５０    ピン
５２    固定螺子
５４    旗取付具
５６    旗
５８    固定具
６０    係止具
７０    ホールカップ
７２    支持筒
Ｂ    ゴルフボール
Ｇ    地面
【図１】
0003224105.tif 000003
【図２】
0003224105.tif 000004
【図３】
0003224105.tif 000005
【図４】
0003224105.tif 000006